(57)【要約】      （修正有）【課題】介護ベッドのベッド枠の第２側近傍の連接部の傍に、車椅子を容易に位置決めて固定することができ、介護スタッフは、患者を良く介護することができ、省力することもでき、患者は不快を感じない介護ベッドを提供する。【解決手段】ベッド枠２と、車椅子３と、を備え、ベッド枠は、ヘッドパネル２０と、尾パネル２１と、開けることが可能であり、ヘッドパネルとパネルとに連接されている第１側近傍の連接部２２と、第１側近傍の連接部に対応し、ヘッドパネルと尾パネルとに連接されている第２側近傍の連接部２３と、第２側近傍の連接部の下方に固定されている支持枠と、支持枠に固定されており、収容空間へ延びる係合枠２６と、を備え、ヘッドパネル、尾パネル、第１側近傍の連接部、及び第２側近傍の連接部は、ベッド枠の収容空間２４を構成し、車椅子は、フレームを含む搬送台座３０と、フレームに固定されている座当３１とを備える。【選択図】図３
0003225261.tif 000002
【実用新案登録請求の範囲】
【請求項１】
ベッド枠と、車椅子と、を備え、
前記ベッド枠は、
ヘッドパネルと、
尾パネルと、
開けることが可能であり、前記ヘッドパネルと前記尾パネルとに連接されている第１側近傍の連接部と、
前記第１側近傍の連接部に対応し、前記ヘッドパネルと前記尾パネルとに連接されている第２側近傍の連接部と、
前記第２側近傍の連接部の下方に固定されている支持枠と、
前記支持枠に固定されており、前記収容空間へ延びる係合枠と、
を備え、
前記ヘッドパネル、前記尾パネル、前記第１側近傍の連接部、及び前記第２側近傍の連接部は、前記ベッド枠の収容空間を構成し、
前記ベッド枠は、前記第１側近傍の連接部が開けられたときに、前記ベッド枠は、前記第１側近傍の連接部で開口が形成され、
前記車椅子は、
フレームを含む搬送台座と、
前記フレームに固定されている座当と、
を備える介護ベッドにおいて、
前記車椅子は、前記搬送台座により、前記開口を通過して前記収容空間に進入することが可能であり、前記フレームが前記係合枠と係合することにより、前記車椅子は、前記第２側近傍の連接部の傍に位置決められて固定することを特徴とする介護ベッド。
【請求項２】
前記ベッド枠は、更に、係り挟み部材を備え、前記係り挟み部材は、前記支持枠に固定されており、前記収容空間へ延び、前記フレームは、位置決めロッドを備え、前記車椅子は、前記搬送台座により、前記開口を通過して前記収容空間に進入することが可能であり、前記位置決めロッドが前記係り挟み部材と係合することにより、前記車椅子は、前記第２側近傍の連接部の傍に位置決められて固定することを特徴とする、請求項１に記載の介護ベッド。
【請求項３】
前記係り挟み部材は、二つのカンチレバー部件を備え、前記二つのカンチレバー部件のうちの一方の末端は、他方のカンチレバー部件へ凹んだ凹み部であることを特徴とする、請求項２に記載の介護ベッド。
【請求項４】
前記係り挟み部材は、二つのカンチレバー部件を備え、前記各カンチレバー部件は、その末端に設けられているローラーを備えることを特徴とする、請求項２に記載の介護ベッド。
【請求項５】
前記車椅子は、
前記座当に枢着されている背当と、
前記背当の第１側辺に枢着されている第１肘当部と、
前記背当の第２側辺に枢着されている第２肘当部と、
前記座当に枢着されている腿支持部と、
前記腿支持部に枢着されている脚支持部と、
を備え、
前記車椅子は、前記搬送台座により、前記開口を通過して前記収容空間に進入することが可能であり、前記背当は、下方に旋回されると、前記座当と平行であり、前記第１肘当部と前記第２肘当部とは、下方に旋回されると、前記座当および前記背当と平行であり、前記腿支持部と前記脚支持部とは、上方に旋回されると、前記座当と平行であり、これにより、前記背当、前記座当、前記第１肘当部、前記第２肘当部、前記腿支持部および前記脚支持部は、一つの平面になってマットレスを構成し、患者は前記マットレスに横たわることができ、前記マットレスは前記収容空間に合うことを特徴とする、請求項２に記載の介護ベッド。
【請求項６】
前記ヘッドパネルはガイド溝を有し、前記ガイド溝は、前記ヘッドパネルの前記収容空間に向く面に形成され、前記車椅子は、位置決めホイールを備え、前記位置決めホイールは、前記背当に固定されており、外側へ延び、前記車椅子は、前記搬送台座により、前記開口を通過して前記収容空間に進入することが可能であり、前記位置決めホイールは前記ガイド溝を転動することにより、前記車椅子は前記収容空間内に位置決められることを特徴とする、請求項５に記載の介護ベッド。
【請求項７】
前記ベッド枠は、更に、ガイド溝部材を備え、前記ガイド溝部材は前記収容空間の床面に置かれ、前記搬送台座は、更に、四つの脚と、それぞれ前記四つの脚に取り付けられている四つのキャスターと、を備え、前記車椅子は、前記搬送台座により、前記開口を通過して前記収容空間に進入することが可能であり、前記四つのキャスターのうちの少なくとも一つのキャスターは、前記ガイド溝部材を転動することにより、前記車椅子は前記収容空間内に位置決められることを特徴とする、請求項２に記載の介護ベッド。
【請求項８】
ベッド枠と、車椅子と、を備え、
前記ベッド枠は、
ヘッドパネルと、
尾パネルと、
開けることが可能であり、前記ヘッドパネルと前記尾パネルとに連接されている第１側近傍の連接部と、
前記第１側近傍の連接部に対応し、前記ヘッドパネルと前記尾パネルとに連接されている第２側近傍の連接部と、
前記第２側近傍の連接部の下方に固定されている支持枠と、
前記支持枠に固定されており、前記収容空間へ延びる係り挟み部材と、
を備え、
前記ヘッドパネル、前記尾パネル、前記第１側近傍の連接部および前記第２側近傍の連接部は、前記ベッド枠の収容空間を構成し、
前記ベッド枠は、前記第１側近傍の連接部が開けられたときに、前記第１側近傍の連接部で開口が形成され、
前記車椅子は、
フレームを備え、前記フレームは位置決めロッドを備える搬送台座と、
前記フレームに固定されている座当と、
を備え、
前記車椅子は、前記搬送台座により、前記開口を通過して前記収容空間に進入することが可能であり、前記位置決めロッドが前記係り挟み部材と係合することにより、前記車椅子は、前記第２側近傍の連接部の傍に位置決められて固定することを特徴とする介護ベッド。
【請求項９】
前記係り挟み部材は、二つのカンチレバー部件を備え、前記二つのカンチレバー部件のうちの一方の末端は、他方のカンチレバー部件へ凹んだことを特徴とする、請求項８に記載の介護ベッド。
【請求項１０】
前記係り挟み部材は、二つのカンチレバー部件を備え、前記各カンチレバー部件は、その末端に設けられているローラーを備えることを特徴とする、請求項８に記載の介護ベッド。
【請求項１１】
前記ベッド枠は、更に、係合枠を備え、前記係合枠は、前記支持枠に固定されており、前記収容空間へ延び、前記車椅子は、前記搬送台座により、前記開口を通過して前記収容空間に進入することが可能であり、前記フレームが前記係合枠と係合することにより、前記車椅子は、前記第２側近傍の連接部の傍に位置決められて固定することを特徴とする、請求項８に記載の介護ベッド。
【請求項１２】
前記車椅子は、更に、
前記座当に枢着されている背当と、
前記背当の第１側辺に枢着されている第１肘当部と、
前記背当の第２側辺に枢着されている第２肘当部と、
前記座当に枢着されている腿支持部と、
前記腿支持部に枢着されている脚支持部と、
を備え、
前記車椅子は、前記搬送台座により、前記開口を通過して前記収容空間に進入することが可能であり、前記背当は、前記座当と平行であるように、下方に旋回することができ、前記第１肘当部と前記第２肘当部とは、前記座当および前記背当と平行であるように、下方に旋回することができ、前記腿支持部と前記脚支持部とは、前記座当と平行であるように、上方に旋回することができ、これにより、前記背当、前記座当、前記第１肘当部、前記第２肘当部、前記腿支持部および前記脚支持部は、一つの平面になってマットレスを構成し、患者は前記マットレスに横たわることができ、前記マットレスは前記収容空間に合うことを特徴とする、請求項１１に記載の介護ベッド。
【請求項１３】
前記ヘッドパネルはガイド溝を有し、前記ガイド溝は、前記ヘッドパネルの前記収容空間に向く面に形成され、前記車椅子は、位置決めホイールを備え、前記位置決めホイールは、前記背当に固定されており、外側へ延び、前記車椅子は、前記搬送台座により、前記開口を通過して前記収容空間に進入することが可能であり、前記位置決めホイールは前記ガイド溝を転動することにより、前記車椅子は前記収容空間内に位置決められることを特徴とする、請求項１２に記載の介護ベッド。
【請求項１４】
前記ベッド枠は、更に、ガイド溝部材を備え、前記ガイド溝部材は前記収容空間の床面に置かれ、前記搬送台座は、更に、四つの脚と、それぞれ前記四つの脚に取り付けられている四つのキャスターと、を備え、前記車椅子は、前記搬送台座により、前記開口を通過して前記収容空間に進入することが可能であり、前記四つのキャスターのうちの少なくとも一つのキャスターは、前記ガイド溝部材を転動することにより、前記車椅子は前記収容空間内に位置決められることを特徴とする、請求項１１に記載の介護ベッド。
【考案の詳細な説明】
【技術分野】
【０００１】
本考案は、介護ベッドに関し、特に、車椅子と結合することが可能であり、車椅子を容易に位置決め、又は固定することが可能な介護ベッドに関するものである。
【背景技術】
【０００２】
目下、多くの介護ベッドは、マットレスが固定であり、体の不自由な患者や障害者の利用が不便である。このため、介護ベッドから、体の不自由な患者や障害者を車椅子に移動するときに、介護スタッフはかなりの体力を消耗し、更に、介護スタッフが怪我をする可能性がある。
【０００３】
この問題を解決するために、介護ベッドのベッド枠は車椅子と結合することが可能な技術が提案された。しかし、このような介護ベッドによれば、車椅子をベッド枠内に進入した後、位置決め及び固定の設計が行われないため、介護スタッフは、車椅子を左右に移動しないと、車椅子を適当な位置に移動して、車椅子を旋回してマットレスになることができない。このため、このような介護ベッドによれば、操作が不便であり、介護スタッフがかなりの体力を消耗し、車椅子に座る患者も不快を感じる。
【考案の概要】
【考案が解決しようとする課題】
【０００４】
本考案の主な目的は、介護ベッドのベッド枠の第２側近傍の連接部の傍に、車椅子を容易に位置決めて固定することができ、介護スタッフは、患者を良く介護することができ、省力することもでき、患者は不快を感じない介護ベッドを提供することにある。
【課題を解決するための手段】
【０００５】
本考案に係る介護ベッドによると、ベッド枠と、車椅子と、を備え、
ベッド枠は、
ヘッドパネルと、
尾パネルと、
開けることが可能であり、ヘッドパネルと尾パネルとに連接されている第１側近傍の連接部と、
第１側近傍の連接部に対応し、ヘッドパネルと尾パネルとに連接されている第２側近傍の連接部と、
第２側近傍の連接部の下方に固定されている支持枠と、
支持枠に固定されており、収容空間へ延びる係合枠と、
を備え、
ヘッドパネル、尾パネル、第１側近傍の連接部、及び第２側近傍の連接部は、ベッド枠の収容空間を構成し、
ベッド枠は、第１側近傍の連接部が開けられたときに、第１側近傍の連接部で開口が形成され、
車椅子は、
フレームを含む搬送台座と、
フレームに固定されている座当と、
を備える介護ベッドにおいて、
車椅子は、搬送台座により、開口を通過して収容空間に進入することが可能であり、フレームが係合枠と係合することにより、車椅子は、第２側近傍の連接部の傍に位置決められて固定することを特徴とする。
【０００６】
本考案に係る介護ベッドによると、ベッド枠は、更に、係り挟み部材を備え、係り挟み部材は、支持枠に固定されており、収容空間へ延び、フレームは、位置決めロッドを備え、車椅子は、搬送台座により、開口を通過して収容空間に進入することが可能であり、位置決めロッドが係り挟み部材と係合することにより、車椅子は、第２側近傍の連接部の傍に位置決められて固定することを特徴とする。
【０００７】
本考案に係る介護ベッドによると、係り挟み部材は、二つのカンチレバー部件を備え、二つのカンチレバー部件のうちの一方の末端は、他方のカンチレバー部件へ凹んだ凹み部であることを特徴とする。
【０００８】
本考案に係る介護ベッドによると、係り挟み部材は、二つのカンチレバー部件を備え、各カンチレバー部件は、その末端に設けられているローラーを備えることを特徴とする。
【０００９】
本考案に係る介護ベッドによると、車椅子は、
座当に枢着されている背当と、
背当の第１側辺に枢着されている第１肘当部と、
背当の第２側辺に枢着されている第２肘当部と、
座当に枢着されている腿支持部と、
腿支持部に枢着されている脚支持部と、
を備え、
車椅子は、搬送台座により、開口を通過して収容空間に進入することが可能であり、背当は、下方に旋回されたと、座当と平行であり、第１肘当部と第２肘当部とは、下方に旋回されたと、座当および背当と平行であり、腿支持部と脚支持部とは、上方に旋回されたと、座当と平行であり、これにより、背当、座当、第１肘当部、第２肘当部、腿支持部および脚支持部は、一つの平面になってマットレスを構成し、患者はマットレスに横たわることができ、マットレスは収容空間に合うことを特徴とする。
【００１０】
本考案に係る介護ベッドによると、ヘッドパネルはガイド溝を有し、ガイド溝は、ヘッドパネルの収容空間に向く面に形成され、車椅子は、位置決めホイールを備え、位置決めホイールは、背当に固定されており、外側へ延び、車椅子は、搬送台座により、開口を通過して収容空間に進入することが可能であり、位置決めホイールはガイド溝を転動することにより、車椅子は収容空間内に位置決められることを特徴とする。
【００１１】
本考案に係る介護ベッドによると、ベッド枠は、更に、ガイド溝部材を備え、ガイド溝部材は収容空間の床面に置かれ、搬送台座は、更に、四つの脚と、それぞれ四つの脚に取り付けられている四つのキャスターと、を備え、車椅子は、搬送台座により、開口を通過して収容空間に進入することが可能であり、四つのキャスターのうちの少なくとも一つのキャスターは、ガイド溝部材を転動することにより、車椅子は収容空間内に位置決められることを特徴とする。
【００１２】
本考案に係る介護ベッドによると、ベッド枠と、車椅子と、を備え、
ベッド枠は、
ヘッドパネルと、
尾パネルと、
開けることが可能であり、ヘッドパネルと尾パネルとに連接されている第１側近傍の連接部と、
第１側近傍の連接部に対応し、ヘッドパネルと尾パネルとに連接されている第２側近傍の連接部と、
第２側近傍の連接部の下方に固定されている支持枠と、
支持枠に固定されており、収容空間へ延びる係り挟み部材と、
を備え、
ヘッドパネル、尾パネル、第１側近傍の連接部および第２側近傍の連接部は、ベッド枠の収容空間を構成し、
ベッド枠は、第１側近傍の連接部が開けられたときに、第１側近傍の連接部で開口が形成され、
車椅子は、
フレームを備え、フレームは位置決めロッドを備える搬送台座と、
フレームに固定されている座当と、
を備え、
車椅子は、搬送台座により、開口を通過して収容空間に進入することが可能であり、位置決めロッドが係り挟み部材と係合することにより、車椅子は、第２側近傍の連接部の傍に位置決められて固定することを特徴とする。
【００１３】
本考案に係る介護ベッドによると、係り挟み部材は、二つのカンチレバー部件を備え、二つのカンチレバー部件のうちの一方の末端は、他方のカンチレバー部件へ凹んだことを特徴とする。
【００１４】
本考案に係る介護ベッドによると、係り挟み部材は、二つのカンチレバー部件を備え、各カンチレバー部件は、その末端に設けられているローラーを備えることを特徴とする。
【００１５】
本考案に係る介護ベッドによると、ベッド枠は、更に、係合枠を備え、係合枠は、支持枠に固定されており、収容空間へ延び、車椅子は、搬送台座により、開口を通過して収容空間に進入することが可能であり、フレームが係合枠と係合することにより、車椅子は、第２側近傍の連接部の傍に位置決められて固定することを特徴とする。
【００１６】
本考案に係る介護ベッドによると、車椅子は、更に、
座当に枢着されている背当と、
背当の第１側辺に枢着されている第１肘当部と、
背当の第２側辺に枢着されている第２肘当部と、
座当に枢着されている腿支持部と、
腿支持部に枢着されている脚支持部と、
を備え、
車椅子は、搬送台座により、開口を通過して収容空間に進入することが可能であり、背当は、座当と平行であるように、下方に旋回することができ、第１肘当部と第２肘当部とは、座当および背当と平行であるように、下方に旋回することができ、腿支持部と脚支持部とは、座当と平行であるように、上方に旋回することができ、これにより、背当、座当、第１肘当部、第２肘当部、腿支持部および脚支持部は、一つの平面になってマットレスを構成し、患者はマットレスに横たわることができ、マットレスは収容空間に合うことを特徴とする。
【００１７】
本考案に係る介護ベッドによると、ヘッドパネルはガイド溝を有し、ガイド溝は、ヘッドパネルの収容空間に向く面に形成され、車椅子は、位置決めホイールを備え、位置決めホイールは、背当に固定されており、外側へ延び、車椅子は、搬送台座により、開口を通過して収容空間に進入することが可能であり、位置決めホイールはガイド溝を転動することにより、車椅子は収容空間内に位置決められることを特徴とする。
【００１８】
本考案に係る介護ベッドによると、ベッド枠は、更に、ガイド溝部材を備え、ガイド溝部材は収容空間の床面に置かれ、搬送台座は、更に、四つの脚と、それぞれ四つの脚に取り付けられている四つのキャスターと、を備え、車椅子は、搬送台座により、開口を通過して収容空間に進入することが可能であり、四つのキャスターのうちの少なくとも一つのキャスターは、ガイド溝部材を転動することにより、車椅子は収容空間内に位置決められることを特徴とする。
【考案の効果】
【００１９】
本考案に係る介護ベッドによれば、介護ベッドのベッド枠の第２側近傍の連接部の傍に、車椅子を容易に位置決めて固定することができ、介護スタッフは、患者を良く介護することができ、省力することもでき、患者は不快を感じないという効果を有する。
【図面の簡単な説明】
【００２０】
【図１】本考案の一実施形態に係る介護ベッドの必要な部材であるベッド枠を示す外観図である。
【図２】本考案の一実施形態に係る介護ベッドの必要な部材である車椅子を示す外観図である。
【図３】本考案の実施形態に係る介護ベッドを示す別の外観図である。
【図４】本考案の実施形態に係る介護ベッドを示す別の外観図である。
【図５】本考案の実施形態に係る介護ベッドを示す別の外観図である。
【図６】図５に示す介護ベッドの一部を示す拡大図である。
【図７】本考案の実施形態に係る介護ベッドを示す別の外観図である。
【図８】本考案の実施形態に係る介護ベッドのベッド枠の係り挟み部材の一部を示す拡大図である。
【図９】本考案の実施形態に係る介護ベッドのベッド枠の係り挟み部材の別の一部を示す拡大図である。
【図１０】本考案の実施形態に係る介護ベッドの必要な部材であるベッド枠を示す別の外観図である。
【図１１】本考案の実施形態に係る介護ベッドの必要な部材である車椅子を示す別の外観図である。
【考案を実施するための形態】
【００２１】
以下、本考案の実施の形態を図面に基づいて説明する。
【００２２】
図１から図７は、本考案の一実施形態に係る介護ベッド１を示す模式図であって、本考案に係る介護ベッド１とその部材との連接の関係を示す。図１は、本考案の実施形態に係る介護ベッド１の必要な部材の一つであるベッド枠２を示す外観図である。図２は、本考案の実施形態に係る介護ベッド１の必要な部材の一つである車椅子３を示す外観図である。図３、図４、図５及び図７は、本考案の実施形態に係る介護ベッド１の異なる操作状態および異なる角度での外観を示す図である。図６は、図５に示す介護ベッド１の一部を示す拡大図である。
【００２３】
図３、図４、図５及び図７に示すように、本考案の実施形態に係る介護ベッド１は、ベッド枠２と、車椅子３と、を備える。
【００２４】
図１、図３、図４、図５及図７に示すように、ベッド枠２は、ヘッドパネル２０と、尾パネル２１と、第１側近傍の連接部２２と、第２側近傍の連接部２３と、支持枠２５と、係合枠２６と、を備える。
【００２５】
第１側近傍の連接部２２は、ヘッドパネル２０と尾パネル２１とに連接されている。第２側近傍の連接部２３は、第１側近傍の連接部２２に対応し、ヘッドパネル２０と尾パネル２１とに連接されている。
【００２６】
ヘッドパネル２０、尾パネル２１、第１側近傍の連接部２２及び第２側近傍の連接部２３により、ベッド枠２の収容空間２４が構成される。第１側近傍の連接部２２の一部が折り畳まれると、ベッド枠２は、第１側近傍の連接部２２で開口２２２が形成される。第１側近傍の連接部２２は、ベッド枠２に平行な方向に沿って開けられることが可能である。もちろん、例えば、図３に示すように、第１側近傍の連接部２２は、ベッド枠２に垂直な方向に沿って開けられることが可能でもよい。
【００２７】
支持枠２５は、図１に示すように、第２側近傍の連接部２３の下方に固定されている。係合枠２６は、支持枠２５に固定されており、収容空間２４へ延びる。
【００２８】
車椅子３は、図２に示すように、搬送台座３０と、座当３１と、を備える。搬送台座３０はフレーム３０２を備える。座当３１はフレーム３０２に固定されている。搬送台座３０は、四つの脚３０６と、それぞれ四つの脚３０６に取り付けられているキャスター３０８と、を備える。車椅子３は、図２に示すように、搬送台座３０が人力で押さえられるが、本考案に係る車椅子３は、これに限定されない。本考案に係る搬送台座３０にモータが組付けられていてもよい。すなわち、モータにより、本考案に係る車椅子３を駆動してもよい。
【００２９】
車椅子３は、図３に示すように、搬送台座３０により、第１側近傍の連接部２２での開口２２２を通過して収容空間２４に進入することが可能である。次に、図３及図４に示すように、フレーム３０２を係合枠２６と係合する。これにより、車椅子３は、第２側近傍の連接部２３の傍に位置決められて固定する。
【００３０】
図１、図３、図４、図５及び図７に示すように、本考案の別の実施形態に係る介護ベッド１は、ベッド枠２と、車椅子３と、を備える。ベッド枠２は、ヘッドパネル２０と、尾パネル２１と、第１側近傍の連接部２２と、第２側近傍の連接部２３と、を備える。同様に、ヘッドパネル２０、尾パネル２１、第１側近傍の連接部２２及び第２側近傍の連接部２３により、ベッド枠２の収容空間２４が構成される。第１側近傍の連接部２２の一部が折り畳まれたと、ベッド枠２は、第１側近傍の連接部２２で開口２２２が形成される。第１側近傍の連接部２２は、ベッド枠２に平行な方向に沿って開けられることが可能である。もちろん、例えば、図３に示すように、第１側近傍の連接部２２は、ベッド枠２に垂直な方向に沿って開けられることが可能でもよい。
【００３１】
特に、図１に示すように、ベッド枠２は、支持枠２５と、係り挟み部材２７と、を備える。支持枠２５は、第２側近傍の連接部２３の下方に固定されている。係り挟み部材２７は、支持枠２５に固定されており、収容空間２４へ延びる。
【００３２】
本実施形態では、図８に示すように、係り挟み部材２７は、二つのカンチレバー部件２７２を備える。二つのカンチレバー部件２７２は、一方の末端が他方のカンチレバー部件２７２へ凹んだ凹み部２７２２である。
【００３３】
本実施形態では、図９に示すように、係り挟み部材２７は、二つのカンチレバー部件２７２を備える。各カンチレバー部件２７２は、その末端に設けられているローラー２７４を備える。
【００３４】
同様に、車椅子３は、図２に示すように、搬送台座３０と、座当３１と、を備える。搬送台座３０はフレーム３０２を備える。フレーム３０２は位置決めロッド３０４を備える。同様に、座当３１はフレーム３０２に固定されている。
【００３５】
車椅子３は、図３に示すように、搬送台座３０により、第１側近傍の連接部２２での開口２２２を通過して収容空間２４に進入することができる。次に、図３、図４、図５及び図６に示すように、位置決めロッド３０４は係り挟み部材２７と係合する。これにより、車椅子３は、第２側近傍の連接部２３の傍に位置決められて固定する。
【００３６】
図２及び図７を参照する。本考案に係る介護ベッド１の車椅子３は、更に、背当３２と、第１肘当部３３と、第２肘当部３４と、腿支持部３５と、脚支持部３６と、を備える。背当３２は座当３１に枢着されている。第１肘当部３３は、背当３２の第１側辺３２２に枢着されている。第２肘当部３４は、背当３２の第２側辺３２４に枢着されている。腿支持部３５は座当３１に枢着されている。脚支持部３６は腿支持部３５に枢着されている。車椅子３は、搬送台座３０により、第１側近傍の連接部２２での開口２２２を通過して収容空間２４に進入することが可能である。背当３２は、座当３１と平行なように、下方に旋回することができる。第１肘当部３３と第２肘当部３４とは、座当３１及び背当３２と平行なように、下方に旋回することができる。腿支持部３５と脚支持部３６とは、座当３１と平行なように、上方に旋回することができる。これにより、背当３２、座当３１、第１肘当部３３、第２肘当部３４、腿支持部３５及び脚支持部３６は、一つの平面になってマットレスを構成することができる。患者は、マットレスに横たわることができる。マットレスは収容空間２４に合う。
【００３７】
図１０及び図１１を参照する。本考案の別の実施形態に係る介護ベッド１は、ベッド枠２と、車椅子３と、を備える。図１０にベッド枠２が描かれている。図１１に車椅子３が描かれている。図１０での図１と同じ符号を有する部品は、同じ又は類似する構成および機能を有するため、説明を省略する。図１０での図２と同じ符号を有する部品は、同じ又は類似する構成および機能を有するため、説明を省略する。
【００３８】
図１０に示すように、ヘッドパネル２０はガイド溝２０２を有する。ガイド溝２０２は、ヘッドパネル２０の収容空間２４に向く面に形成されている。車椅子３は、図１１に示すように、位置決めホイール３７を備える。位置決めホイール３７は、背当３２に固定されており、外側へ延びる。車椅子３は、搬送台座３０により、第１側近傍の連接部２２での開口２２２を通過して収容空間２４に進入することができる。次に、位置決めホイール３７はガイド溝２０２を転動する。これにより、車椅子３は収容空間２４内に位置決められる。
【００３９】
図１０及び図１１を参照する。本考案の別の実施形態に係る介護ベッド１は、ベッド枠２と、車椅子３と、を備える。ベッド枠２は、更に、ガイド溝部材２８を備える。ガイド溝部材２８は、収容空間２４の床面に置かれる。搬送台座３０は、更に、四つの脚３０６と、それぞれ四つの脚３０６に設けられている四つのキャスター３０８と、を備える。車椅子３は、搬送台座３０により、第１側近傍の連接部２２での開口２２２を通過して収容空間２４に進入することができる。次に、四つのキャスター３０８のうちの少なくとも一つのキャスター３０８は、ガイド溝部材２８を転動する。これにより、車椅子３は収容空間２４内に位置決められる。
【００４０】
一実施形態では、ガイド溝部材２８がヘッドパネル２０に近接する箇所に設けられている。車椅子３は、搬送台座３０により、第１側近傍の連接部２２での開口２２２を通過して収容空間２４に進入することができる。次に、四つのキャスター３０８のうちのヘッドパネル２０に近接するキャスター３０８は、ガイド溝部材２８を転動する。
【００４１】
別の実施形態では、ガイド溝部材２８が尾パネル２１に近接する箇所に設けられている。車椅子３は、搬送台座３０により、第１側近傍の連接部２２での開口２２２を通過して収容空間２４に進入することができる。次に、四つのキャスター３０８のうちの尾パネル２１に近接するキャスター３０８は、ガイド溝部材２８を転動する。
【００４２】
本考案に係る介護ベッド１は、フレーム３０２と、係り挟み部材２７と、を同時に備える。図４、図５及び図６に示すように、フレーム３０２を係合枠２６と係合すると同時に、位置決めロッド３０４を係り挟み部材２７と係合する。一方、本考案に係る介護ベッド１は、更に、位置決めホイール３７と、ガイド溝２０２と、を同時に備える。位置決めホイール３７がガイド溝２０２を転動することにより、車椅子３は位置決められる。本考案に係る介護ベッド１は、更に、ガイド溝部材２８を備える。四つのキャスター３０８のうちの少なくとも一つのキャスター３０８がガイド溝部材２８を転動することにより、車椅子３は位置決められる。
【００４３】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００４４】
１  介護ベッド
２  ベッド枠
３  車椅子
２０  ヘッドパネル
２１  尾パネル
２２  第１側近傍の連接部
２３  第２側近傍の連接部
２４  収容空間
２５  支持枠
２６  係合枠
２７  係り挟み部材
２８  ガイド溝部材
３０  搬送台座
３１  座当
３２  背当
３３  第１肘当部
３４  第２肘当部
３５  腿支持部
３６  脚支持部
３７  位置決めホイール
２０２  ガイド溝
２２２  開口
２７２  カンチレバー部件
２７４  ローラー
３０２  フレーム
３０４  位置決めロッド
３０６  脚
３０８  キャスター
３２２  第１側辺
３２４  第２側辺
２７２２  凹み部
【図１】
0003225261.tif 000003
【図２】
0003225261.tif 000004
【図３】
0003225261.tif 000005
【図４】
0003225261.tif 000006
【図５−６】
0003225261.tif 000007
【図７】
0003225261.tif 000008
【図８】
0003225261.tif 000009
【図９】
0003225261.tif 000010
【図１０】
0003225261.tif 000011
【図１１】
0003225261.tif 000012
【手続補正書】
【提出日】令和2年1月7日(2020.1.7)
【手続補正１】
【補正対象書類名】図面
【補正対象項目名】全図
【補正方法】変更
【補正の内容】
【図１】
0003225261.tif 000013
【図２】
0003225261.tif 000014
【図３】
0003225261.tif 000015
【図４】
0003225261.tif 000016
【図５】
0003225261.tif 000017
【図６】
0003225261.tif 000018
【図７】
0003225261.tif 000019
【図８】
0003225261.tif 000020
【図９】
0003225261.tif 000021
【図１０】
0003225261.tif 000022
【図１１】
0003225261.tif 000023